(57)【要約】【課題】  数字釦を操作する毎に該当登録取消階の呼び登録灯を点滅表示して誤操作を防止できるエレベータの行先呼び登録装置を得る。【解決手段】  エレベータのかご内操作盤１０に行先階呼び登録用のテンキー１４を設けたエレベータ装置において、テンキー１４の操作情報を判別して制御信号を発生する制御手段４０と、この制御手段４０からの制御信号に基づいて行先呼びを登録する行先呼び登録手段４１と、制御手段４０からの制御信号に基づいて行先呼び登録灯３０の点滅を制御する表示制御手段４２とを備え、テンキーの数字釦を操作する毎に該当する登録階または取消階の呼び登録灯を点滅表示するようにする。【選択図】        図２
2006182489.tif 000002
【特許請求の範囲】
【請求項１】
エレベータのかご内操作盤に行先階呼び登録用のテンキーを設けたエレベータの行先呼び登録装置において、
上記テンキーの操作情報を判別して制御信号を発生する制御手段と、
該制御手段からの制御信号に基づいて行先呼びを登録する行先呼び登録手段と、
上記制御手段からの制御信号に基づいて行先呼び登録灯の点滅を制御する表示制御手段と
を備え、上記テンキーの数字釦を操作する毎に該当する登録階または取消階の呼び登録灯を点滅表示するようにしたことを特徴とするエレベータの行先呼び登録装置。
【請求項２】
上記制御手段は、上記テンキーの登録釦による行先階呼び登録操作中、登録済みの階と上記数字釦を操作した該当階が同一の場合、上記表示制御手段を介して上記呼び登録灯の点滅方法を変更することを特徴とする請求項１記載のエレベータの行先呼び登録装置。
【請求項３】
上記制御手段は、上記テンキーの登録釦による行先階呼び登録操作中または上記呼び登録灯点滅中に、呼び登録済以外の階で上記テンキーの取消釦を操作すると、上記呼び登録灯の点滅を上記表示制御手段を介して停止させるとともに、上記テンキーにおける行先階登録・取消の操作をリセットすることを特徴とする請求項１または２記載のエレベータの行先呼び登録装置。
【請求項４】
上記制御手段は、上記テンキーの登録釦による行先階呼び登録操作中または上記呼び登録灯点滅中に、上記テンキーにより停止階床数より大きい階が設定されると、上記表示制御手段を介して上記呼び登録灯の点滅を停止させるとともに、上記テンキーにおける行先階登録・取消の操作をリセットすることを特徴とする請求項１〜３のいずれかに記載のエレベータの行先呼び登録装置。
【発明の詳細な説明】
【技術分野】
【０００１】
この発明は、エレベータのかご内操作盤で行先階の呼びを登録するエレベータの行先呼び登録装置に関するものである。
【背景技術】
【０００２】
従来、高層階用エレベータのかご内操作盤を操作する際、高層階の行先釦に子供や身長の低い乗客には手が届かない場合がある。その解決方法として、たとえば、かご内操作盤にテンキーを設け、操作盤の下方部分で行先階を登録・取消する方法がある（例えば、特許文献１参照）。
【０００３】
【特許文献１】特開２００３−２２１１７２号公報
【発明の開示】
【発明が解決しようとする課題】
【０００４】
しかしながら、前記の公報に記載されているようなエレベータの行先呼び登録装置の場合には、テンキーを押した時にどの数字釦を押したのか登録釦が押されるまで、つまり、登録灯が点灯するまでは確認できず、乗客は正しく操作できたか不安になる等の問題点があった。
【０００５】
この発明は、上記のような課題を解決するためになされたもので、数字釦を操作する毎に該当登録取消階の呼び登録灯を点滅表示して誤操作を防止できるエレベータの行先呼び登録装置を得ることを目的とする。
【課題を解決するための手段】
【０００６】
この発明に係るエレベータの行先呼び登録装置は、エレベータのかご内操作盤に行先階呼び登録用のテンキーを設けたエレベータの行先呼び登録装置において、テンキーの操作情報を判別して制御信号を発生する制御手段と、この制御手段からの制御信号に基づいて行先呼びを登録する行先呼び登録手段と、制御手段からの制御信号に基づいて行先呼び登録灯の点滅を制御する表示制御手段とを備え、テンキーの数字釦を操作する毎に該当する登録階または取消階の呼び登録灯を点滅表示するようにしたものである。
【発明の効果】
【０００７】
この発明は、操作者がどの数字釦を押したのか確認することができ、誤操作を防止でき、エレベータの円滑な運転に寄与できるという効果がある。
【発明を実施するための最良の形態】
【０００８】
以下、この発明の一実施の形態を、図１〜図８を参照して説明する。
実施の形態１．
図１は、この発明の実施の形態１によるエレベータの行先呼び登録装置を示す全体構成図である。
図１において、エレベータのかご内に設置されたかご内操作盤１０と、このかご内操作盤１０が入力側に設けられたマイクロコンピュータ２０と、マイクロコンピュータ２０の出力側に設けられた行先呼び登録灯３０が設けられ、かご内操作盤１０は、行先釦１１と、戸開釦１２と、戸閉釦１３と、テンキーとしての主テンキー１４を備え、主テンキー１４は数字釦１４ａと、登録釦１４ｂと、取消釦１４ｃを有する。
【０００９】
また、マイクロコンピュータ２０は、入力回路２１と、この入力回路２１がその入力側に接続されたＣＰＵ２２と、このＣＰＵ２２と相互接続されたメモリ２３と、ＣＰＵ２２の出力側に接続された出力回路２４とを備える。入力回路２１には、かご内操作盤１０内に設けられた行先釦１１、戸開釦１２、戸閉釦１３と、主テンキー１４の数字釦１４ａ、登録釦１４ｂおよび取消釦１４ｃが接続され、出力回路２４には、行先呼び登録灯３０が接続される。
【００１０】
図２は、この発明の実施の形態１によるエレベータの行先呼び登録装置を示す機能ブロック図である。
入力信号を処理判別して対応する制御信号を出力する制御手段４０と、この制御手段４０に接続され、行先釦１１が操作されるとその階床の行先呼びを登録する行先呼び登録手段４１と、制御手段４０に接続され、制御手段４０からの制御信号に基づいて行先呼び登録灯３０の点滅表示を制御する表示制御手段４２とが設けられ、制御手段４０の入力側にかご内操作盤１０内に設けられた行先釦１１、戸開釦１２、戸閉釦１３、および主テンキー１４の数字釦１４ａ、登録釦１４ｂおよび取消釦１４ｃが電気的に接続され、表示制御手段４２の出力側に行先呼び登録灯３０が電気的に接続される。なお、制御手段４０〜表示制御手段４２は、機能上実質的に図１のマイクロコンピュータ２０を構成するものである。
【００１１】
図３は、本実施の形態におけるエレベータのかご操作盤を示し、図３（ａ）はかご内操作盤の正面図、図２（ｂ）はかご内操作盤内の主テンキー部の拡大図である。
図３において、かご内操作盤１０には、一例として２４階分を示す行先釦１１と、戸開釦１２と、戸閉釦１３と、主テンキー１４が配置され、行先釦１１には行先呼び登録灯３０を内蔵している。また、主テンキー１４はかご内操作盤１０の下方部に設けられ、「０」「１」〜「９」の数字釦１４ａ、登録釦１４ｂおよび取消釦１４ｃが配置されている。
【００１２】
次に、動作について、図４〜図８を参照して説明する。なお、以下の各ステップにおける判断は、全て制御手段４０で実行される。
図４は、この発明の実施の形態１における呼び登録における処理を示すフローチャートである。
先ず、ステップＳ１において、主テンキー１４のいずれかの釦が押されたかどうかを判断し、何も押されてない時はステップＳ２へ進み、呼び登録操作中かどうかを判断し、何も操作していなければステップＳ３へ進み、設定階用変数Ｎをクリアする。
【００１３】
ここで乗客が行先呼びを行先呼び登録手段４１に登録するために数字釦１４ａを押したとする。ステップＳ１でキー入力があったと判断され、ステップＳ４へ進む。ステップＳ４では釦の内容が変数Ｂに取り込まれる。次に、ステップＳ５において、押された釦が‘登録’かどうかを判断し、数字釦１１が押された場合は該当しないので、ステップＳ７に進み、取り消された釦が‘取消’かどうかを判断し、この場合も該当しないので、ステップＳ９へ進む。ステップＳ９では、設定階用変数Ｎに押された釦の値Ｂにしたがって数値が設定される。
【００１４】
例えば、最初に押された釦が２であれば、変数Ｎの初期値は‘０’なので、変数Ｂの値が加算され、変数Ｎは２となる。次いで、ステップＳ１０において、変数Ｎの値に相当する階の行先呼び登録灯３０を、制御手段４０の制御に基づいて表示制御手段４２により点滅させる。引き続き数字釦‘３’が押されたとすると、ステップＳ９では変数Ｎは２３となり、ステップＳ１０で行先呼び登録灯３０の点滅階は２階から２３階へ変更される。
【００１５】
その後、登録釦１４ｂが押されると、ステップＳ５からステップＳ６へ進み、２３階の呼びを行先呼び登録手段４１に登録すると共に、表示制御手段４２により２３階の行先呼び登録灯３０が全点灯する。
これにより、数字釦１４ａを操作する毎に設定階の行先呼び登録灯３０が点滅表示するので、操作者がどの数字釦１４ａを押したのか確認することができる。
【００１６】
図５は、この発明の実施の形態１における表示制御手段による行先呼び登録灯の点滅パターンを変更するためのフローチャート、図６は表示制御手段による行先呼び登録灯の点滅パターンを示す図である。
図５において、まず、行先階呼び登録操作中に変数Ｎに所定の階が設定される。ステップＳ１１では、変数Ｎが指定する階にすでに行先呼びが行先呼び登録手段４１に登録されているか判断される。Ｎ階に呼びが行先呼び登録手段４１に登録されていなければ、ステップＳ１２へ進み、表示制御手段４２による図６のパターンＡに示した点滅方法が選択され、Ｎ階に呼びが行先呼び登録手段４１に登録されていれば、ステップＳ１３へ進み、同じく表示制御手段４２による図６のパターンＢに示した点滅方法が選択される。
【００１７】
これにより、乗客が例えば呼びを取消そうとする時に、取消したい階に呼びが行先呼び登録手段４１に登録されていれば応答灯の点滅の仕方が変わるので、設定した階が取消する階か容易に判断できる。
【００１８】
図７は、この発明の実施の形態１の呼び登録における取消釦が押された時のフローチャートである。
乗客により取消釦１４ｃが押された時、ステップＳ２１では変数Ｎで設定された階にすでに呼び登録が行先呼び登録手段４１にあるか確認される。すでに登録済みであれば、ステップＳ２２に進み、通常通り行先呼び登録手段４１におけるＮ階の呼び登録を抹消し、表示制御手段４２によりＮ階の行先呼び登録灯３０を消灯する。ステップＳ２１で呼びの登録が行先呼び登録手段４１に無ければ、ステップＳ２３に進み、変数Ｎを初期設定するとともに、表示制御手段４２により行先呼び登録灯３０の点滅を停止させる。
【００１９】
これにより、乗客が行先呼び登録中、登録釦１４ｂを押す直前に間違いに気付いた場合に取消釦１４ｃを押せば、間違った階の呼びは行先呼び登録手段４１に登録されずに取消することができる。即ち、誤操作に気付いた時、取消釦１４ｃを操作することにより間違った階の呼びが行先呼び登録手段４１に登録されること無く操作を終了させることができる。
【００２０】
図８は、この発明の実施の形態１における呼び登録の方法を示すフローチャートである。
乗客により数字釦１４ａが押された時、ステップＳ３１において、変数Ｎが停止階床数より小さいかどうか判断される。小さければ、停止可能な階なのでステップＳ３２へ進み、表示制御手段４２により変数Ｎで示す階の行先呼び登録灯３０を点滅させる。ステップＳ３１で変数Ｎが停止階床数より大きいと判断されれば、ステップＳ３３へ進み、変数Ｎを初期設定するとともに、表示制御手段４２により行先呼び登録灯３０の点滅を停止させる。
これにより、乗客が行先呼び登録中、登録釦１４ｂを押す直前に間違いに気付いた場合、更に数字釦１４ａを押せば、変数Ｎは停止階床数より大きくなるので、間違った階の呼びは登録されずに登録操作を元にもどすことができる。即ち、誤操作に気付いた時、さらに数字釦１４ａを操作することにより間違った階の呼びが登録・取消されること無く操作を終了させることができる。
【００２１】
以上のように、この実施の形態１によれば、数字釦を操作する毎に該当登録階や取消階の呼び登録灯が点滅表示するので、操作者がどの数字釦を押したのか確認することができ、また、行先階呼び登録操作中、登録済みの階と数字釦を操作した該当階が同一の場合、点滅方法を変更するので、呼びを取消する際に、取消したい階に呼びが登録されているか判断できる。また、誤操作に気付いた時、取消釦を操作することにより間違った階の呼びが登録されること無く操作を終了させることができ、しかも、誤操作に気付いた時、さらに数字釦を操作することにより間違った階の呼びが登録・取消されること無く操作を終了させることができる。
【図面の簡単な説明】
【００２２】
【図１】この発明の実施の形態１によるエレベータの行先呼び登録装置を示す全体構成図である。
【図２】この発明の実施の形態１によるエレベータの行先呼び登録装置を示す機能ブロック図である。
【図３】この発明の実施の形態１によるエレベータの行先呼び登録装置におけるかご操作盤を示す図である。
【図４】この発明の実施の形態１によるエレベータの行先呼び登録装置の呼び登録における処理を示すフローチャートである。
【図５】この発明の実施の形態１によるエレベータの行先呼び登録装置の行先呼び登録灯の点滅パターン変更の手順を示すフローチャートである。
【図６】この発明の実施の形態１によるエレベータの行先呼び登録装置における行先呼び登録灯の点滅パターンを示す図である。
【図７】この発明の実施の形態１によるエレベータの行先呼び登録装置の呼び登録における取消釦が押された時の手順を示すフローチャートである。
【図８】この発明の実施の形態１によるエレベータの行先呼び登録装置における呼び登録の手順を示すフローチャートである。
【符号の説明】
【００２３】
１０    かご内操作盤、１１    行先釦、１２    戸開釦、１３    戸閉釦、１４    主テンキー、１４ａ    数字釦、１４ｂ    登録釦、１４ｃ    取消釦、２０    マイクロコンピュータ、２１    入力回路、２２  ＣＰＵ、２３    メモリ、２４    出力回路、３０    行先呼び登録灯、４０    制御手段、４１    行先呼び登録手段、４２    表示制御手段。
【図１】
2006182489.tif 000003
【図２】
2006182489.tif 000004
【図３】
2006182489.tif 000005
【図４】
2006182489.tif 000006
【図５】
2006182489.tif 000007
【図６】
2006182489.tif 000008
【図７】
2006182489.tif 000009
【図８】
2006182489.tif 000010